【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
外部端末から受信した注文データに対応して生成される受信確認のためのデータを送信対象として記憶している情報処理装置において、
前記注文データを前記外部端末から受け付ける受付手段と、
前記受付手段によって受け付けた注文データを用いて、当該注文データの受信確認のためのデータを生成する生成手段と、
前記生成手段で生成される受信確認のためのデータの送信先と、前記送信対象として記憶している受信確認のためのデータの送信先とが一致するか否かを判断する第１の判断手段と、
前記生成手段で生成される受信確認のためのデータから、前記送信対象として記憶されている受信確認のためのデータと結合するためのデータを取得する取得手段と、
前記取得手段で取得されたデータを前記送信対象として記憶されている受信確認のためのデータと結合する結合手段と、
前記生成手段で生成された受信確認のためのデータ、又は、前記結合手段で結合された受信確認のためのデータを、前記外部端末に送信する送信手段とを備え、
前記第１の判断手段により送信先が一致すると判断される場合に、前記送信手段は、前記結合手段により結合された受信確認のためのデータを送信し、一方、前記第１の判断手段により送信先が一致しないと判断される場合に、前記送信手段は、前記生成手段により生成された受信確認のためのデータを送信することを特徴とする情報処理装置。
【請求項２】
前記結合手段で結合された受信確認のためのデータは、送信すべき複数の受信確認のためのデータのうちの一の受信確認のためのデータに対して、残りの受信確認のためのデータから取り出された一部のデータが結合されたものであることを特徴とする請求項１記載の情報処理装置。
【請求項３】
前記送信対象として記憶されている受信確認のためのデータから、前記取得手段によって取得したデータを結合するための領域を特定する特定手段を更に備え、
前記結合手段は、前記取得手段によって取得されたデータを、前記特定手段によって特定された領域に挿入することで、前記送信対象として記憶されている受信確認のためのデータと結合することを特徴とする請求項１又は２記載の情報処理装置。
【請求項４】
前記受付手段で受け付けた注文データを文字認識する文字認識手段を更に備え、
前記取得手段は前記文字認識手段によって文字と認識されたデータを、前記結合するためのデータとして取得し、
前記特定手段は、前記送信対象として記憶されている受信確認のためのデータに対応する注文データを前記文字認識手段によって文字認識した際の、文字が認識されなかった領域を、前記取得手段によって取得したデータを結合するための領域として特定し、
前記結合手段は、前記取得手段によって取得されたデータが、前記特定手段によって特定された、前記取得手段によって取得したデータを結合するための領域に、結合可能であるか否かを判断する第２の判断手段を備えることを特徴とする請求項３記載の情報処理装置。
【請求項５】
前記文字認識手段は、前記注文データの伝票行毎に文字認識を行い、
前記第２の判断手段は、前記送信対象として記憶されている受信確認のためのデータに対応する注文データで、前記文字認識手段によって文字が認識されなかった伝票行の行数が、前記取得手段によって取得したデータの、前記文字認識手段によって文字が認識された伝票行の行数より少ない又は同じである場合に、結合可能であると判断することを特徴とする請求項４記載の情報処理装置。
【請求項６】
前記結合手段は、前記注文データと、前記送信対象として記憶している受信確認のためのデータの受付日が一致する場合に結合することを特徴とする請求項１乃至５のいずれか１項に記載の情報処理装置。
【請求項７】
前記受付手段によって受け付けた注文データの帳票フォームを認識するフォーム認識手段を更に備え、
前記結合手段は、
前記フォーム認識手段によって認識された、前記受付手段で受け付けた注文データのフォームと、前記送信対象として記憶されている受信確認のためのデータのフォームが同一であると判断される場合に、前記取得手段で取得されたデータと前記送信対象として記憶されている受信確認のためのデータとを結合することを特徴とする請求項１乃至６のいずれか１項に記載の情報処理装置。
【請求項８】
外部端末から受信した注文データに対応して生成される受信確認のためのデータを送信対象として記憶している情報処理装置の情報処理方法において、
前記注文データを前記外部端末から受け付ける受付ステップと、
前記受付ステップで受け付けた注文データを用いて、当該注文データの受信確認のためのデータを生成する生成ステップと、
前記生成ステップで生成される受信確認のためのデータの送信先と、前記送信対象として記憶している受信確認のためのデータの送信先とが一致するか否かを判断する第１の判断ステップと、
前記生成ステップで生成される受信確認のためのデータから、前記送信対象として記憶されている受信確認のためのデータと結合するためのデータを取得する取得ステップと、
前記取得ステップで取得されたデータを前記送信対象として記憶されている受信確認のためのデータと結合する結合ステップと、
前記生成ステップで生成された受信確認のためのデータ、又は、前記結合ステップで結合された受信確認のためのデータを、前記外部端末に送信する送信ステップとを備え、
前記第１の判断ステップで送信先が一致すると判断される場合に、前記送信ステップにおいて、前記結合ステップで結合された受信確認のためのデータが送信され、一方、前記第１の判断ステップで送信先が一致しないと判断される場合に、前記送信ステップにおいて、前記生成ステップで生成された受信確認のためのデータが送信されることを特徴とする情報処理方法。
【請求項９】
外部端末から受信した注文データに対応して生成される受信確認のためのデータを送信対象として記憶している情報処理装置の情報処理方法をコンピュータにより実行させるプログラムにおいて、
前記注文データを前記外部端末から受け付ける受付モジュールと、
前記受付モジュールで受け付けた注文データを用いて、当該注文データの受信確認のためのデータを生成する生成モジュールと、
前記生成モジュールで生成される受信確認のためのデータの送信先と、前記送信対象として記憶している受信確認のためのデータの送信先とが一致するか否かを判断する第１の判断モジュールと、
前記生成モジュールで生成される受信確認のためのデータから、前記送信対象として記憶されている受信確認のためのデータと結合するためのデータを取得する取得モジュールと、
前記取得モジュールで取得されたデータを前記送信対象として記憶されている受信確認のためのデータと結合する結合モジュールと、
前記生成モジュールで生成された受信確認のためのデータ、又は、前記結合モジュールで結合された受信確認のためのデータを、前記外部端末に送信する送信モジュールとを備え、
前記第１の判断モジュールで送信先が一致すると判断される場合に、前記送信モジュールにおいて、前記取得モジュールで取得されたデータと前記送信対象として記憶されている受信確認のためのデータから、前記結合モジュールで結合された受信確認のためのデータが送信され、一方、前記第１の判断モジュールで送信先が一致しないと判断される場合に、前記送信モジュールにおいて、前記生成モジュールで生成された受信確認のためのデータが送信されることを特徴とするプログラム。
【手続補正２】
【補正対象書類名】明細書
【補正対象項目名】０００２
【補正方法】変更
【補正の内容】
【０００２】
従来、注文データとしての伝票をＦＡＸで受信し、このデータに対して受信（受領）確認を行う目的で送信元に受信したＦＡＸデータそのもの、あるいは受信したＦＡＸデータに受領マークを付して返信することが行われている。
【手続補正３】
【補正対象書類名】明細書
【補正対象項目名】０００５
【補正方法】変更
【補正の内容】
【０００５】
本発明の目的は、注文データを受信し、このデータに対して受信確認のためのデータを送信元に返信する業務において、受信確認のためのデータの送信効率を上げるとともに、大量の受信確認のためのデータを受信する側の煩わしさを軽減できる情報処理装置及びその情報処理方法、並びにプログラムを提供することにある。
【手続補正４】
【補正対象書類名】明細書
【補正対象項目名】０００６
【補正方法】変更
【補正の内容】
【０００６】
上記目的を達成するために、請求項１記載の情報処理装置は、外部端末から受信した注文データに対応して生成される受信確認のためのデータを送信対象として記憶している情報処理装置において、前記注文データを前記外部端末から受け付ける受付手段と、前記受付手段によって受け付けた注文データを用いて、当該注文データの受信確認のためのデータを生成する生成手段と、前記生成手段で生成される受信確認のためのデータの送信先と、前記送信対象として記憶している受信確認のためのデータの送信先とが一致するか否かを判断する第１の判断手段と、前記生成手段で生成される受信確認のためのデータから、前記送信対象として記憶されている受信確認のためのデータと結合するためのデータを取得する取得手段と、前記取得手段で取得されたデータを前記送信対象として記憶されている受信確認のためのデータと結合する結合手段と、前記生成手段で生成された受信確認のためのデータ、又は、前記結合手段で結合された受信確認のためのデータを、前記外部端末に送信する送信手段とを備え、前記第１の判断手段により送信先が一致すると判断される場合に、前記送信手段は、前記結合手段により結合された受信確認のためのデータを送信し、一方、前記第１の判断手段により送信先が一致しないと判断される場合に、前記送信手段は、前記生成手段により生成された受信確認のためのデータを送信することを特徴とする。
【手続補正５】
【補正対象書類名】明細書
【補正対象項目名】０００７
【補正方法】変更
【補正の内容】
【０００７】
上記目的を達成するために、請求項８記載の情報処理方法は、外部端末から受信した注文データに対応して生成される受信確認のためのデータを送信対象として記憶している情報処理装置の情報処理方法において、前記注文データを前記外部端末から受け付ける受付ステップと、前記受付ステップで受け付けた注文データを用いて、当該注文データの受信確認のためのデータを生成する生成ステップと、前記生成ステップで生成される受信確認のためのデータの送信先と、前記送信対象として記憶している受信確認のためのデータの送信先とが一致するか否かを判断する第１の判断ステップと、前記生成ステップで生成される受信確認のためのデータから、前記送信対象として記憶されている受信確認のためのデータと結合するためのデータを取得する取得ステップと、前記取得ステップで取得されたデータを前記送信対象として記憶されている受信確認のためのデータと結合する結合ステップと、前記生成ステップで生成された受信確認のためのデータ、又は、前記結合ステップで結合された受信確認のためのデータを、前記外部端末に送信する送信ステップとを備え、前記第１の判断ステップで送信先が一致すると判断される場合に、前記送信ステップにおいて、前記結合ステップで結合された受信確認のためのデータが送信され、一方、前記第１の判断ステップで送信先が一致しないと判断される場合に、前記送信ステップにおいて、前記生成ステップで生成された受信確認のためのデータが送信されることを特徴とする。
【手続補正６】
【補正対象書類名】明細書
【補正対象項目名】０００８
【補正方法】変更
【補正の内容】
【０００８】
上記目的を達成するために、請求項９記載のプログラムは、外部端末から受信した注文データに対応して生成される受信確認のためのデータを送信対象として記憶している情報処理装置の情報処理方法をコンピュータにより実行させるプログラムにおいて、前記注文データを前記外部端末から受け付ける受付モジュールと、前記受付モジュールで受け付けた注文データを用いて、当該注文データの受信確認のためのデータを生成する生成モジュールと、前記生成モジュールで生成される受信確認のためのデータの送信先と、前記送信対象として記憶している受信確認のためのデータの送信先とが一致するか否かを判断する第１の判断モジュールと、前記生成モジュールで生成される受信確認のためのデータから、前記送信対象として記憶されている受信確認のためのデータと結合するためのデータを取得する取得モジュールと、前記取得モジュールで取得されたデータを前記送信対象として記憶されている受信確認のためのデータと結合する結合モジュールと、前記生成モジュールで生成された受信確認のためのデータ、又は、前記結合モジュールで結合された受信確認のためのデータを、前記外部端末に送信する送信モジュールとを備え、前記第１の判断モジュールで送信先が一致すると判断される場合に、前記送信モジュールにおいて、前記取得モジュールで取得されたデータと前記送信対象として記憶されている受信確認のためのデータから、前記結合モジュールで結合された受信確認のためのデータが送信され、一方、前記第１の判断モジュールで送信先が一致しないと判断されたる場合に、前記送信モジュールにおいて、前記生成モジュールで生成された受信確認のためのデータが送信されることを特徴とする。
【手続補正７】
【補正対象書類名】明細書
【補正対象項目名】０００９
【補正方法】変更
【補正の内容】
【０００９】
本発明によれば、注文データを受信し、このデータに対して受信確認のためのデータを送信元に返信する業務において、受信確認のためのデータの送信効率を上げるとともに、受信する側の煩わしさを軽減することができる。